(57)【要約】
【課題】多数枚のメッセージカードを添えたポスト型ボックスを葬儀会場に置いて、遺族への励ましのメッセージを、人手を用いずに迅速容易に届けることができるようにした葬儀用メッセージカード投函ボックスを提供する。
【解決手段】細長状のカード投入口１１を設けたボックス本体１０と、表面側または裏面側にメッセージ等記載部２２を有したメッセージカード２０と、多数枚のメッセージカード２０を保持可能で、且つその一部にカード取出口３１を設けて成るメッセージカードホルダー３０とにより構成し、葬儀参列者が記載したメッセージカード２０を、ボックス本体１０に投函するようにする。
【選択図】図１
0003100324.tif 000002
【実用新案登録請求の範囲】
【請求項１】
　細長状のカード投入口を設けたボックス本体と、表面側または裏面側にメッセージ等記載部を有したメッセージカードと、多数枚のメッセージカードを保持可能で、且つその一部にカード取出口を設けて成るメッセージカードホルダーとにより構成し、葬儀参列者が記載したメッセージカードを、ボックス本体に投函するようにしたことを特徴とする葬儀用メッセージカード投函ボックス。
【請求項２】
　上記したメッセージ等記載部には、メッセージ記入欄と受取人名記入欄と差出人名記入欄が備えられたことを特徴とする請求項１記載の葬儀用メッセージカード投函ボックス。
【考案の詳細な説明】
【技術分野】
【０００１】　本考案は、葬儀参列者からの遺族に対する励ましのメッセージ等を、メッセージカードを用いて届けることができるようにした葬儀用メッセージカード投函ボックスに関するものである。
【背景技術】
【０００２】　従来、物故者へのメッセージ記入用カードを店頭や自動販売機などで購入し、祭壇に供えたり、棺の中に入れたり、遺族や親戚に渡したりするようにした葬儀用メッセージカードがある（例えば、特許文献１参照。）。また、物故者へのメッセージ記入用カードを他の装飾体と共に箱体に納め、その箱体を棺の中の遺体に添えるようにした葬祭用具および葬祭用具セットがある（例えば、特許文献２参照。）。
【特許文献１】特開２００３−１７０６８３号公報
【特許文献２】特開２００２−１１２８８１号公報
【考案の開示】
【考案が解決しようとする課題】
【０００３】　上記した両特許文献のものは、物故者に対してメッセージを送ることを目的としており、そのメッセージカードを人の手によって出棺までに回収しなければならないので、カードの配布や回収のために人が動いて、葬儀の厳粛な雰囲気を乱したり、カードの回収洩れが起き易いという欠点があった。また特許文献１のメッセージカードにおいては、葬儀参列者にメッセージカードの購入費用を負担させるようになっているので、多数の参列者から気軽にメッセージを貰うことができないという不具合があった。【０００４】　なお葬儀時においては、葬儀参列者が遺族に対して親しく言葉をかける機会が少なく、また親しく言葉をかける場合には、相手の立場やタイミングに気を使って状況判断をする必要があるので、気軽に言葉をかけ難いのが現状である。【０００５】　そこで本考案は、多数枚のメッセージカードを添えたポスト型ボックスを、葬儀会場の受付等に置くことにより、遺族に対して心を込めた励ましのメッセージを届けることができるとともに、メッセージカードの配布や回収を、葬儀の雰囲気を乱すことなく、且つ人の手を借りずに迅速容易に行うことができるようにした葬儀用メッセージカード投函ボックスの提供を目的とするものである。
【課題を解決するための手段】
【０００６】　上記の目的を達成するために本考案は、カード投入口を設けたボックス本体と、表面側または裏面側にメッセージ等記載部を有したメッセージカードと、多数枚のメッセージカードを保持可能で、且つその一部にカード取出口を設けて成るメッセージカードホルダーとにより構成し、上記したメッセージ等記載部に、メッセージ記入欄と受取人名記入欄と差出人名記入欄が備えられたことを特徴とするものである。
【考案の効果】
【０００７】　本考案の葬儀用メッセージカード投函ボックスは、喪主を含む物故者の家族への哀悼の言葉や励ましの言葉などを、メッセージカードという形に現わし、しかも人の手を借りずに迅速容易に届けることができるという極めて有益な効果を奏するものである。またこの投函ボックスを葬儀の邪魔にならない場所に置くようにして、葬儀開始前の待ち時間や、焼香を終えて着席する際や、出棺を見送った後などのように、葬儀参列者の都合のよい時に投函するようにすれば、葬儀の厳粛な雰囲気を乱すようなことがなく、また遺族に対しても気軽に且つ心を込めてメッセージを送ることができるという長所がある。なおまた本考案で使用されるボックス本体等はいずれも紙材によって製造されるので、廉価な製品を提供できるばかりでなく、メッセージカードの配布や回収のための人手を必要としないので、葬儀に係る費用の低減に貢献することができるという利点があり、またこれらを郵便物等の収納ボックスなどとして再利用することもできるという特長がある。
【考案を実施するための最良の形態】
【０００８】　葬儀参列者が記載したメッセージカードをボックス本体に投函することで、遺族に対する心を込めた励ましのメッセージを、葬儀の雰囲気を乱すことなく迅速容易に届けることができるようになった。
【実施例１】
【０００９】　以下に、本考案の１実施例を図面に基づいて詳細に説明するが、本考案は、メッセージカードを回収するためのボックス本体１０と、遺族に対するメッセージを記載可能に設けたメッセージカード２０と、多数枚のメッセージカード２０を保持するためのメッセージカードホルダー３０（以下、カードホルダー３０と略称する）とにより構成されるものである。【００１０】　ボックス本体１０は、剛性を有する紙材を用いて形成されたもので、図１および図２に示すように、その前面に細長状のカード投入口１１が設けられ、且っ内部が中空のサイコロ状に形成されたポスト型の箱体である。また該ボックス本体１０の上面には開閉蓋１２が取付けられているので、この開閉蓋１２を開いて、内部のメッセージカード２０を取り出すことができるようになっており、さらにこの開閉蓋２０の一部に喪家名表示部１３が設けられていて、他家の投函ボックスと混同することを防止するようになっている。なお上記したボックス本体１０の外周面に、葬儀にふさわしい模様や色彩等を施すようにすると、葬儀参列者に好印象を与えることができるので好適である。【００１１】　また後述するメッセージカードをＢ６サイズ程度に形成した場合には、縦×横×高さの各寸法を、２０ｃｍ×２０ｃｍ×２０ｃｍ程度にするものとし、またボックス本体１０の適宜な面（例えば前面や上面）に、「この函には、ご遺族に対する皆様からの励ましのお言葉をいただいております。専用のメッセージカードをご使用下さいませ。ありがとうございました」などのような案内文を表示するようにしてもよい。さらに本実施例では、ボックス本体１０を剛性の紙材で形成する例を示したが、例えばプラスチックや板材等のようなその他の素材を用いて形成してもよいことは勿論である。【００１２】　さらにメッセージカード２０は、図３（イ）および（ロ）に示すように、その表面側に装飾表示部２１が設けられていて、「メッセージカード」などというタイトル文字や、葬儀にふさわしい様々な模様等が施されており、またその裏面側にはメッセージ等記載部２２が設けられていて、葬儀参列者が遺族に向けて励ましのメッセージなどを記載できるようになっている。該メッセージ等記載部２２には、図示のような広い面積を有するメッセージ記載欄２３を中心として、このメッセージを受け取る遺族の氏名を記入するための受取人名記入欄２４と、このメッセージを書いた人の氏名を記入するための差出人名記入欄２５が、それぞれ上下に別れて配置されている。なお本実施例においては、メッセージカード２０の表裏の両面を使用するようになっているが、メッセージカード２０の片面のみを使用するようにして、その表面側に、図３（ロ）に示すようなメッセージ等記載部２２のみを設けるようにしてもよい。【００１３】　次に、図１および図４を参照してカードホルダー３０について説明する。このカードホルダー３０は、多数枚のメッセージカード２０を保持可能で、且つその一部（図示では上部）にカード取出口３１を設けるとともに、カードの取り出しを容易とするための切欠部３２を設けて成る紙製の保持具であり、これを立設した場合に、縦状に収納したメッセージカード２０が、カードホルダー３０の上端部���らやや突出するような高さに形成されるものとする。【００１４】　なお図１においては、カードホルダー３０を立設状に設定し、その背面部とボックス本体１０の側面部が隣接するように並べた例を示したが、カードホルダー３０の切欠部３２を正面に向け、ボックス本体１０と横一列状に並べるようにしてもよく、さらにはカードホルダー３０を横に倒して、メッセージカード２０を水平方向へ引き出すように設定してもよい。【００１５】　本考案の葬儀用メッセージカード投函ボックスは、以上に説明したような構造となっており、これを葬儀会場の受付やホール、その他の適宜な場所に置くようにするものである。そして各葬儀参列者がカードホルダー３０からメッセージカード２０を抜き取り、メッセージ等記載部２２にメッセージ等を書き込み、そのメッセージカード２０をボックス本体１０のカード投入口１１から投函するようになっているのである。またこの投函ボックスは、葬儀終了後に遺族の自宅に持ち帰って、受取人名記入欄２４に記入された人にそれぞれ渡されるものである。なお本考案の主たる目的は、葬儀参列者から遺族に対して、励ましのメッセージや哀悼の言葉を届けることにあるが、他の先行技術の場合と同様に、物故者に対するメッセージカードの投函ボックスとして使用することも可能である。
【産業上の利用可能性】
【００１６】　上記したボックス本体１０やメッセージカードホルダー３０は、各家庭において郵便物や商店のレジシート等の収納ボックスとして利用可能である。
【図面の簡単な説明】
【００１７】
【図１】本考案の一実施例を示す斜視図である。
【図２】ボックス本体の形状を示す斜視図である。
【図３】メッセージカードを示すもので、（イ）は正面図で（ロ）は背面図である。
【図４】メッセージカードホルダーの構造を示す断面図である。
【符号の説明】
【００１８】１０　ボクッス本体
１１　カード投入口
２０　メッセージカード
２２　メッセージ等記載部
２３　メッセージ記入欄
２４　受取人名記入欄
２５　差出人名記入欄
３０　メッセージカードホルダー
３１　カード取出口
３２　切欠部
【図１】
0003100324.tif 000003
【図２】
0003100324.tif 000004
【図３】
0003100324.tif 000005
【図４】
0003100324.tif 000006